Podtech/llm-jp-corpus-v4-ja_patent huggingface dataset:
(57)【要約】      （修正有）【課題】床が濡れている電車内で長時間立っている方や荷棚に荷物を上げられない方及び足腰腕の筋力の弱い方等を手助けするために効果がある傘及び携帯用傘の柄を提供する。【解決手段】垂直方向に立てたときの柄１の上端部にくぼみを設けたことを特徴とする傘と、柔らかい筒状のゴムの中央付近に凸凹を設けた携帯用傘の柄を特徴とする。【選択図】図１
0003190318.tif 000002
【実用新案登録請求の範囲】
【請求項１】
雨傘の柄（握り手）の先にくぼみをつけて、床に立てた傘に荷物を安定して提げられるようにする。
鞄や重い荷物を持ち歩く際に、雨傘を利用して筋力の弱い者や長時間提げていなければならないときに使用する。
傘をすぼめた状態で、ほぼ垂直に立てて使用するために周りに迷惑を及ぼす事は少ない。
【請求項２】
柔らかい筒状のゴムの中央付近に凸凹を付けた本考案を傘の柄に通して中央の凹んだ部分にバック等を提げる。
ほぼ垂直に立てた傘が安定する。
【考案の詳細な説明】
【考案の開示】
【考案が解決しようとする課題】
【０００１】床が濡れている電車内で長時間立っている方や荷棚に荷物を上げられない方及び足腰腕の筋力の弱い方等を手助けするために効果がある。濡れている路面での長時間の立ち話にも便利である。
【課題を解決するための手段】
【０００２】傘自体の寿命・耐久性に影響ないようにするため及び古い傘や１００円傘にも使用できるように、ほぼ垂直に立てて使用する必要がある。本考案で新しく形成された傘柄でなくても従来の傘の柄の部分に凹凸のある本考案を簡単に装着固定（図３・図４参照）する事もできる。
【考案の効果】
【０００３】バックが濡れていても足元にあるため他人への迷惑度が少ない。
軽い力で維持できるので重い荷物でも楽に提げ続ける事ができる。
【図面の簡単な説明】
【０００４】
【図１】  本考案の全体図
【図２】  本考案の側面図
【図３】  携帯用立体図
【図４】  携帯用立体図
【符号の説明】
【０００５】１、傘の柄本体
２、ゴム又はプラスチック部分
３、着脱可能な接着面（マジックテ−プ等）
４、柔らかいゴム
【図１】
0003190318.tif 000003
【図２】
0003190318.tif 000004
【図３】
0003190318.tif 000005
【図４】
0003190318.tif 000006
【手続補正書】
【提出日】平成26年2月10日(2014.2.10)
【手続補正１】
【補正対象書類名】実用新案登録請求の範囲
【補正対象項目名】全文
【補正方法】変更
【補正の内容】
【実用新案登録請求の範囲】
【請求項１】
垂直方向に立てたときの柄の上端部にくぼみを設けたことを特徴とする傘。
【請求項２】
柔らかい筒状のゴムの中央付近に凸凹を設けた携帯用傘の柄であって、傘の柄に装着固定可能としたことを特徴とする携帯用傘の柄。
【手続補正２】
【補正対象書類名】明細書
【補正対象項目名】全文
【補正方法】変更
【補正の内容】
【考案の詳細な説明】
【考案の開示】
【考案が解決しようとする課題】
【０００１】床が濡れている電車内で長時間立っている方や荷棚に荷物を上げられない方及び足腰腕の筋力の弱い方等を手助けするために効果がある。濡れている路面での長時間の立ち話にも便利である。
【課題を解決するための手段】
【０００２】傘自体の寿命・耐久性に影響ないようにするため及び古い傘や１００円傘にも使用できるように、ほぼ垂直に立てて使用する必要がある。本考案で新しく形成された傘柄でなくても従来の傘の柄の部分に凸凹のある本考案を簡単に装着固定（図３・図４参照）する事もできる。
【考案の効果】
【０００３】バックが濡れていても足元にあるため他人への迷惑度が少ない。
軽い力で維持できるので重い荷物でも楽に提げ続ける事ができる。
【図面の簡単な説明】
【０００４】
【図１】本考案の全体図
【図２】本考案の側面図
【図３】携帯用立体図
【図４】携帯用立体図
【符号の説明】
【０００５】１、傘の柄本体                          ２、ゴム又はプラスチック部分
３、着脱可能な接着面（面ファスナー等）  ４、柔らかいゴム
(57)【要約】      （修正有）【課題】宗教の祈りの場になじむようなオ−ディオ機器を提供する。【解決手段】オーィオプレイヤー１であって、外装がプラスチック及び木もしくは金属又はガラスの素材であり、前記素材に宗教の場で使う道具に施す彫刻及び文様２を描くこともしくは、金箔の型押しを設けたことを特徴とする。【選択図】図１
0003190313.tif 000002
【実用新案登録請求の範囲】
【請求項１】
オ−ディオ機器の外形に宗教の場で祈りの儀式になじむように、彫刻をしたり、文様を描いたり、祈りの際に使う道具と同じ素材を使ったりすることを特徴とする宗教の場で使う祈りの道具様式のオ−ディオプレイヤ−。
【考案の詳細な説明】
【技術分野】
【０００１】  本考案は、宗教の場でつかう祈りの道具を模した、ＣＤ、カセット、メモリ−カ−ドなどを再生することができるオ−ディオプレイヤ−に関するものである。
【背景技術】
【０００２】  従来、宗教の祈りの場、例えば仏教なら仏前でお経のＣＤをかける時、仏前になじむようなオ−ディオプレイヤ−はなかった。
【考案の概要】
【考案が解決しようとする課題】
【０００３】  宗教の祈りの場にふさわしい祈りの道具にもなりえるオ−ディオプレイヤ−を提供する。
【課題を解決するための手段】
【０００４】  本考案は、オ−ディオプレイヤ−の外形に、例えば仏教なら、漆塗りや黒檀、紫檀などの素材を使ったり蓮の花の彫り物を施したりして、仏具としての使用に耐えるような、そして、神聖なお経をかけるにふさわしい作りを施す。
【考案の効果】
【０００５】  お経とか、僧侶の説教とかというものは意外に心を力づけてくれるものである。そのお経が従来からある、お手軽なオ−ディオ機器から流れてくるのと、例えば仏教なら仏前において重厚な仏具の形をしたものから流れてくるのでは、心への響き方も違ってくるものと思われる。朝夕にお経や説話を仏間にふさわしい空間で聴くことにより、聴く人を内面から支えていくことも期待できる。また、仏壇に初めから組み合わせることも可能である。
【図面の簡単な説明】
【０００６】
【図１】外形が仏教の仏具の様式になったオ−ディオプレイヤ−
【考案を実施するための形態】
【０００７】  従来からあるオ−ディオ機器の外形に、黒檀、紫檀の素材で彫刻を施したりを漆塗りや、ステンドグラス調の様式を取り入れる。
【実施例】
【０００８】  以下添付図に従って、一実施例を説明する。１は、オ−ディオ機器本体。２は、外形を仏具調にしたもの。
【符号の説明】
【０００９】  １  オ−ディオ機器本体
２  仏具調の外形
【図１】
0003190313.tif 000003
【手続補正書】
【提出日】平成26年1月22日(2014.1.22)
【手続補正１】
【補正対象書類名】実用新案登録請求の範囲
【補正対象項目名】全文
【補正方法】変更
【補正の内容】
【実用新案登録請求の範囲】
【請求項１】
オ−ディオプレイヤ−であって、外装がプラスチック及び木もしくは金属又はガラスの素材であり、前記素材に宗教の場で使う道具に施す彫刻及び文様を描くこともしくは、金箔の型押しを特徴とする宗教の場で使う祈りの道具様式のオ−ディオプレイヤ−。
(57)【要約】      （修正有）【課題】両サイドから内部を観賞でき、陶器の通気性を生かした生物に優しい水槽を提供する。【解決手段】陶器で丸枠を作り、その両面にアクリル板を張り付けた水槽である。水が腐りにくい特徴を持つ陶器を生かした水槽は、酸素を送り込まないでも、長期間水変えしなくても生物が元気である。陶器は高温で焼きしめているので、大変堅牢であり、アクリル板はガラス板よりも割れにくく、透明なアクリル板の側面から水中を観賞できる。【選択図】図１
0003190315.tif 000002
【実用新案登録請求の範囲】
【請求項１】
本考案は備前焼の枠の両面にアクリル板や透明樹脂板を張り付けた水槽を特徴とする。
【考案の詳細な説明】
【技術分野】
【０００１】本考案は、備前焼の枠の両面に透明なアクリル板や樹脂板を張り付けた備前焼水槽
【背景技術】
【０００２】従来は備前焼の鉢や全面ガラス板張りや全面アクリル板張りの水槽でメダカなどを飼育、観賞していた。【０００３】しかしながら、従来の備前焼の鉢では中の生物を鉢の上からしか、観賞ができないという欠点があった。
また、全面ガラス板張りや全面アクリル板張りの飼育水槽では、通気性がないために水が腐りやすく、温度変化を直接受けるために、生物が長生きできない欠点があった。
ガラスでは、思うようにカットすることが難しく、デザインの制約が大きく、美的でないという欠点があった。
【先行技術文献】
【０００４】
【非特許文献】
【非特許文献】「岡山セラミックス技術振興財団」調査研究による、備前焼の特性  「岡山県備前焼陶友会発行の「備前焼の七不思議」より
【考案の概要】
【考案が解決しようとする課題】
【０００５】本考案は、以上のような従来の欠点に鑑み、両サイドから内部を観賞でき、備前焼の通気性を生かした生物に優しい備前焼水槽を提供する事を目的としている。
【課題を解決するための手段】
【０００６】上記目的を達成するために、本考案は［請求項１］の構成要件で備前焼水槽を構成している。
【考案の効果】
【０００７】  以上の説明から明らかなように、本考案にあってはつぎに列挙する効果が得られる。
（１）［請求項１］の構成要件とで構成されているので、備前焼水槽の両サイドが透明なため、生物を観察できる。また透明アクリル板、透明樹脂板を使用することにより、ガラスよりも自由なカットができるので、水槽のデザインの自由度があがり、美的になり観賞用水槽となる。【０００８】（２）前記（１）により、備前焼には微細な気功と若干の通気性があるため、長時間生きた水の状態が保たれて水が汚れにくく、腐りにくい。酸素を送り込まないでも、長期間水変えしなくてもメダカなどの生物は元気である。備前焼の特性を生かした備前焼水槽を提供することを目的としている。
【図面の簡単な説明】
【０００９】
【図１】本考案を実施するための最良の第１の形態の正面図である。
【図２】本考案を実施するための最良の第１の形態の平面図である。
【考案を実施するための形態】
【００１０】以下、本考案の実施の形態を図に基づいて説明する。
【実施例１】
【００１１】図１は、本考案装置の実施例１の正面図で、同心円の中心の円線上のアクリル板を貼りつける。周囲は備前焼である。【００１２】図２は、本考案装置の実施例１の上から見た平面図で、内側の線は水槽の口を表わしている。  周囲は備前焼である。
【図１】
0003190315.tif 000003
【図２】
0003190315.tif 000004
【手続補正書】
【提出日】平成26年2月21日(2014.2.21)
【手続補正１】
【補正対象書類名】実用新案登録請求の範囲
【補正対象項目名】全文
【補正方法】変更
【補正の内容】
【実用新案登録請求の範囲】
【請求項１】
陶器の丸枠の両面にアクリル板を貼りつけた事を特徴とする水槽。
【手続補正２】
【補正対象書類名】明細書
【補正対象項目名】全文
【補正方法】変更
【補正の内容】
【考案の詳細な説明】
【技術分野】
【０００１】
本考案は、備前焼(登録商標)の丸枠に出入り口の穴を開け、その両面に透明なアクリル板や樹脂板を張り付けた水槽
【背景技術】
【０００２】
従来は備前焼の鉢や全面ガラス板張りや全面アクリル板張りの水槽でメダカなどを飼育、観賞していた。
【０００３】
しかしながら、従来の陶器の鉢では中の生物を鉢の上からしか、観賞ができないという欠点があった。
また、全面ガラス板張りや全面アクリル板張りの飼育水槽では、通気性がないために水が腐りやすく、温度変化を直接受けるために、生物が長生きできない欠点があった。
ガラスでは、思うようにカットすることが難しく、デザインの制約が大きく、美的でないという欠点があった。
【先行技術文献】
【非特許文献】
【０００４】
「岡山セラミックス技術振興財団」調査研究による、備前焼の特性
岡山県備前焼陶友会発行の「備前焼の七不思議」より
【考案の概要】
【考案が解決しようとする課題】
【０００５】
本考案は、以上のような従来の欠点に鑑み、両サイドから内部を観賞でき、若干の通気性のある備前焼で作った、陶器の丸枠にアクリル板を貼りつけた水槽を提供する事を目的としている。
【課題を解決するための手段】
【０００６】
上記目的を達成するために、本考案は「請求項１」の構成要件の備前焼で作った陶器の丸枠にアクリル板を貼りつけた水槽を構成している。
【考案の効果】
【０００７】
以上の説明から明らかなように、本考案にあってはつぎに列挙する効果が得られる。
(１) 「請求項１」の構成要件とで構成されているので、備前焼で作った陶器の丸枠にアクリル板を貼りつけた水槽の両サイドは透明なため、生物を観察できる。また透明アクリル板、透明樹脂板を使用することにより、ガラスよりも自由なカットができるので、水槽のデザインの自由度があがり、美的になり観賞用水槽となる。
【０００８】
(２)  前記(１)により、備前焼には微細な気功と若干の通気性があるため、長時間生きた水の状態が保たれて水が汚れにくく、腐りにくい。酸素を送り込まないでも、長期間水変えしなくてもメダカなどの生物は元気である。備前焼の特性を生かした陶器の枠にアクリル板を貼りつけた備前水槽を提供することを目的としている。
【図面の簡単な説明】
【０００９】
【図１】本考案を実施するための最良の第１の形態の正面図である。
【図２】本考案を実施するための最良の第１の形態の平面図である。
【考案を実施するための形態】
【００１０】
以下、本考案の実施の形態を図に基づいて説明する。
【実施例１】
【００１１】
図1は、本考案装置の実施例1の正面図で、同心円の中心の円線上のアクリル板を貼りつける。周囲の陶器は備前焼である。
【００１２】
図2は、本考案装置の実施例１の上から見た平面図で、内側の線は水槽の口を表わしている。  周囲の陶器は備前焼である。
(57)【要約】      （修正有）【課題】携帯用靴ベラは、皮や合成樹脂等大量生産にあった素材で作られているが、栓の木や天然石を使った心の休まる内容にした携帯用靴ベラを提供する。【解決手段】素材を栓の木を使用した携帯用の靴ベラ本体１の上部穴２に、黄色・橙色・黄緑色・緑色・紫色・赤色・茶色の７色の絹糸５全部を通して、更に天然石の水晶３の内部穴にも通して、結び目４で固定したことを特徴とする。【選択図】図１
0003190321.tif 000002
【実用新案登録請求の範囲】
【請求項１】
素材を栓の木を使用した携帯用の靴ベラ本体（１）の上部穴（２）に，黄色・橙色・黄緑色・緑色・紫色・赤色・茶色の７色の絹糸（５）を通して，更に自然石の水晶（３）の内部穴（７）にも通して，結び目（４）で全体を固定した携帯用靴ベラ。
【請求項２】
靴ベラの素材を栓の木に変えて、栓の木以外の木材、合成樹脂、皮、象牙、水牛の角、金属を使用して作る請求項１記載の携帯用靴ベラ。
【請求項３】
７色の絹糸「黄色・橙色・黄緑色・緑色・紫色・赤色・茶色」を変えて，水色，桃色，薄橙色，黒色，青色，山吹色，深緑色，群青色，赤紫，紅色，朱色，黄土色，赤茶色，鼠色，金色，銀色，白色，藍色を使用して作る，請求項１記載の携帯用靴ベラ。
【請求項４】
天然石の水晶を変えて，天然石のタイガーアイ，ローズ，クオーツ，アンベンチュリン，及びガラス，プラスチック，金属製ビーズを使用して作る請求項１記載の携帯用靴ベラ。
【考案の詳細な説明】
【技術分野】
【０００１】
本考案は，自然石，国産の栓の木を使用して作った携帯用靴ベラに関する。
【背景技術】
【０００２】
従来の靴ベラは，皮，合成樹脂の素材で作ったものを長年使用して来たが，天然石や７色の絹糸を使用した携帯用の靴ベラは他に見当たらない。
「特許文献１（特開平１０−２９５４２７号広報， 靴ベラ付き定期券ケース）」「特許文献２（実開平０６−０６２９０４号広報， 携帯用靴ベラ付櫛）」「特許文献３（実開平０１−０６３４７２号広報，クリップ付き靴ベラ）」が記載されているが構造の違いが大きい。
【先行技術文献】
【特許文献】
【０００３】
【特許文献１】特開平１０−２９５４２７号公報ＤＢ
【特許文献２】実開平０６−０６２９０４号公報ＤＢ
【特許文献３】実開平０１−０６３４７２号公報ＤＢ
【考案の概要】
【考案が解決しようとする課題】
【０００４】
合成樹脂，皮を素材とした靴ベラは，長いものや小さな携帯用や様々な物を使用して来たが，ただ合成樹脂の素材で大量生産して，沢山靴ベラを使用させるだけでは，公害の元となるだけでなく，自分の物でありながら大事にしようとする気持ちになれず，粗雑な扱いをしてしまう。これは何とかしなければならない課題である。本考案は，この課題を解決するためになされたものである。
【課題を解決するための手段】
【０００５】
課題を解決するために本考案は以下の構成とした。
（１）自然の雰囲気を満喫するため，素材を栓の木を使用して，携帯用の靴ベラ本体（１）を作る。
（２）携帯用靴ベラ本体（１）の上部穴（２）に，７色の絹糸（５）を通して，更に天然石の水晶（３）の内部穴（７）にも通して，７色の絹糸を縺れないように，結び目（４）で全体を固定した。
（３）絹糸の７色の色は黄色・橙色・黄緑色・緑色・紫色・茶色・赤色である。
【考案の効果】
【０００６】
本考案は，以下の効果を有する。
携帯の靴ベラを使用する人は，天然石，日本でとれた栓の木，日本でとれた絹糸を使った靴ベラを携帯し，天然のものだけを持ち歩く喜びや満足感がある。
絹糸も７色の色も満足感がある。
【図面の簡単な説明】
【０００７】
【図１】本考案の全体図
【図２】上部穴，自然石，７色の絹糸，結び目の拡大説明図
【考案を実施するための形態】
【０００８】
以下本考案の実施形態について説明する。
本考案の素材は，栓の木を使用して，携帯用の靴ベラ本体（１）を作る。
携帯用靴ベラ本体（１）の上部穴（２）に，７色の絹糸（５）通して，更に天然石の水晶（３）の内部穴（７）にも通して，７色の絹糸を縺れないように，結び目（４）で全体を固定した。
【０００９】
７色の絹糸（黄色・橙色・黄緑色・緑色・紫色・赤色・茶色）に変えて，水色，桃色，うすだい色，黒色，青色，山吹色，深緑色，ぐんじょう色，赤紫，紅色，朱色，おうど色，赤茶色，ねずみ色，金色，銀色，白色，藍色を使用して作ることが出来る。
【００１０】
天然石の水晶を使用するが，その他天然石のタイガーアイ，ローズクオーツ，アンベンチュリン，及びガラス，プラスチック，金属製ビーズを使用する事も出来る。
【符号の説明】
【００１１】
１．携帯靴ベラ本体
２．上部穴
３．天然石の水晶
４．７色の絹糸の結び目
５．７色の絹糸
６．抉れ部
７．天然石の水晶の内部穴
【図１】
0003190321.tif 000003
【図２】
0003190321.tif 000004
【手続補正書】
【提出日】平成26年2月25日(2014.2.25)
【手続補正１】
【補正対象書類名】実用新案登録請求の範囲
【補正対象項目名】全文
【補正方法】変更
【補正の内容】
【実用新案登録請求の範囲】
【請求項１】
素材を栓の木を使用した携帯用の靴ベラ本体（１）の上部穴（２）に，黄色・橙色・黄緑色・緑色・紫色・赤色・茶色の７色の絹糸（５）全部を通して，更に天然石の水晶（３）の内部穴（７）にも通して，結び目（４）で全体を固定した携帯用靴ベラ。
【請求項２】
７色の絹糸「黄色・橙色・黄緑色・緑色・紫色・赤色・茶色」の色の組み合わせを変えて，黄色・橙色・黄緑色・緑色・紫色・赤色・茶色・水色，桃色，薄橙色，黒色，青色，山吹色，深緑色，群青色，赤紫色，紅色，朱色，黄土色，赤茶色，鼠色，金色，銀色，白色，藍色の中から７色を選んで使用して作る，請求項１記載の携帯用靴ベラ。
【請求項３】
天然石の水晶を変えて，天然石のタイガーアイ，ローズ，クオーツ，アンベンチュリン，
及びガラス，プラスチック，金属製ビーズの中から一つ選んで使用して作る請求項１
記載の携帯用靴ベラ。
【請求項４】
靴ベラの素材を栓の木に変えて、栓の木以外の木材、合成樹脂、皮、象牙、水牛の角，
金属の中から一つ選んで使用して作る請求項１記載の携帯用靴ベラ。
【手続補正２】
【補正対象書類名】明細書
【補正対象項目名】０００９
【補正方法】変更
【補正の内容】
【０００９】
７色の絹糸（黄色・橙色・黄緑色・緑色・紫色・赤色・茶色）の色の組み合わせを
変えて，黄色，橙色，黄緑色，緑色，紫色，赤色・茶色，水色，桃色，薄橙色，黒色，青色，山吹色，深緑色，群青色，赤紫色，紅色，朱色，黄土色，赤茶色，鼠色，金色，
銀色，白色，藍色の中から７色を選んで使用して作ることが出来る。
【手続補正３】
【補正対象書類名】明細書
【補正対象項目名】００１０
【補正方法】変更
【補正の内容】
【００１０】
天然石の水晶を使用するが，その天然石の水晶に変えて，天然石のタイガーアイ，ロ
ーズクオーツ，アンベンチュリン，及びガラス，プラスチック，金属製ビーズの中か
ら一つ選んで使用する事も出来る。
(57)【要約】      （修正有）【課題】土や植物の種や植物の根が容易に外に出てしまわないと共に、給水と給気とが十分に可能な栽培鉢を提供する。【解決手段】底の角辺部１２ａに、角辺部を切欠した給水給気口１４ａを有する鉢本体１０と、給水給気口を塞ぐように鉢本体の内面に密接して敷かれた不織布とを備え、内面に不織布が敷かれた鉢本体に土を入れて植物を栽培することを特徴し、また、鉢本体が紙製であり、特に鉢本体が牛乳パックからなることを特徴とする。【選択図】図１
0003190375.tif 000002
【実用新案登録請求の範囲】
【請求項１】
植物を栽培する栽培鉢において、
底の角辺部に、該角辺部を切欠した給水給気口を有する鉢本体と、
該給水給気口を塞ぐように該鉢本体の内面に密接して敷かれた不織布とを備え、
該内面に不織布が敷かれた鉢本体に土を入れて該植物を栽培することを特徴とする栽培鉢。
【請求項２】
前記鉢本体が、紙製であることを特徴とする請求項１記載の栽培鉢。
【請求項３】
前記鉢本体が、牛乳パックからなることを特徴とする請求項２記載の栽培鉢。
【考案の詳細な説明】
【技術分野】
【０００１】
本考案は、植物を栽培する栽培鉢に関する。
【背景技術】
【０００２】
従来より、植物を栽培するための栽培鉢は、いろいろな物が提案されている。例えば、特許文献１に示される使い捨て鉢は、側壁部と底部とからなり、側壁部は紙から形成され、底部は通水性を有する紙或いは不織布から形成されている。
【先行技術文献】
【特許文献】
【０００３】
【特許文献１】実用新案登録第３０４６７９２号公報
【考案の概要】
【考案が解決しようとする課題】
【０００４】
しかしながら、従来の栽培鉢では、側面に十分な通気性を有する構造を有していないことから、給気性に劣る。
【０００５】
本考案は、このような事情に鑑みてなされたもので、土や植物の種子や植物の根が容易に外に出てしまわないと共に、給水と給気とが十分に可能な栽培鉢を提供することにある。
【課題を解決するための手段】
【０００６】
請求項１記載の栽培鉢は、底の角辺部に、該角辺部を切欠した給水給気口を有する鉢本体と、給水給気口を塞ぐように鉢本体の内面に密接して敷かれた不織布とを備え、内面に不織布が敷かれた鉢本体に土を入れて植物を栽培することを特徴とする。
【０００７】
請求項２記載の栽培鉢は、鉢本体が、紙製であることを特徴とする。
【０００８】
請求項３記載の栽培鉢は、鉢本体が、牛乳パックからなることを特徴とする。
【考案の効果】
【０００９】
本考案によれば、底の角辺部に、角辺部を切欠した給水給気口を有し、給水給気口を塞ぐように鉢本体の内面に密接して敷かれた不織布を有することから、土や植物の種子や植物の根が容易に給水給気口から外に出てしまわないと共に、給水と給気とが十分に可能である。
【図面の簡単な説明】
【００１０】
【図１】本考案に係る栽培鉢の製作の一例を示す説明図である。
【図２】同栽培鉢の使用方法を示す説明図である。
【図３】同栽培鉢の使用開始前の状態を示す説明図である。
【図４】同栽培鉢の使用状態を示す説明図である。
【図５】同栽培鉢の機能を示す説明図である。
【考案を実施するための形態】
【００１１】
以下、本考案の形態について図面を参照しながら具体的に説明する。図１は、本考案に係る栽培鉢の製作の一例を示す説明図である。図２は、同栽培鉢の使用方法を示す説明図である。図３は、同栽培鉢の使用開始前の状態を示す説明図である。図４は、同栽培鉢の使用状態を示す説明図である。図５は、同栽培鉢の機能を示す説明図である。
【００１２】
栽培鉢１は、植物Ｔを栽培するための鉢で、鉢本体１０と不織布２０とで構成され、鉢本体１０の中に土Ｍを入れて植物Ｔを栽培する。鉢本体１０は、図１に示すように、牛乳パックの上部を切り取り、下部のみを使用して形成させることが可能である。より具体的には、牛乳パックの底１２の角辺部１２ａ，１２ｂに、角辺部１２ａ，１２ｂを切欠した給水給気口１４ａ，１４ｂを設けるようにする。
【００１３】
尚、鉢本体１０の形状や材質は、特に限定されるものではないが、紙特に牛乳パックは、手軽に入手でき、また撥水性もあって水に対して強いことから手軽に栽培鉢１として用いることができる。また、給水給気口１４ａ，１４ｂの数も１つ以上あればよいが、後述するように給水と給気を考慮すると、複数有ることが望ましい。さらに、給水給気口１４ａ，１４ｂの大きさは、後述するように、１つの口で給水と給気とが可能な大きさにする。
【００１４】
不織布２０は、土Ｍや植物Ｔの根が容易に給水給気口１４ａ，１４ｂから外に出てしまわないと共に、給水と給気とが可能な機能を有しており、そのような条件を満たす布であれば、不織布２０のごとく使用が可能である。そして、図３及び図４に示すように、不織布２０を、給水給気口１４ａ，１４ｂを塞ぐように鉢本体１０の内面に密接して敷くように配置しつつ、内面に不織布２０が敷かれた鉢本体１０に土Ｍを入れる（図２も参照）。そして、図４に示すように、内面に不織布２０が敷かれた鉢本体１０に入れられた土Ｍで、植物Ｔを栽培する。
【００１５】
栽培鉢１を用いて植物Ｔを栽培する場合の水やりについては、図５に示すような構成にすれば、過度に水を供給してしまって根枯させてしまったり、根に対して給気が行われずに植物Ｔを枯らせてしまいにくい。具体的には、図５に示すように、皿Ｐに所定の高さまで水Ｗを入れ、その皿Ｐの中に栽培鉢１を載置するのみである。ここで、皿Ｐにおける水Ｗの高さを、栽培鉢１の鉢本体１０の給水給気口１４ａ，１４ｂの全部ではなく下方のみを塞ぐ程度にする。
【００１６】
このような構成の栽培鉢１によれば、底１２の角辺部１２ａ，１２ｂに、角辺部１２ａ，１２ｂを切欠した給水給気口１４ａ，１４ｂを有し、給水給気口１４ａ，１４ｂを塞ぐように鉢本体１０の内面に密接して敷かれた不織布２０を有することから、土Ｍや植物Ｔの種子や植物Ｔの根が容易に給水給気口１４ａ，１４ｂから外に出てしまわないと共に、給水と給気とが十分に可能である。
【００１７】
特に、従来の栽培鉢では、専門的な知識を有さない農家以外の一般の人は、種まき後に上から水をたっぷり与えるわけであるが、上から水をたっぷり与えると、種が土Ｍの表面に浮き上がってしまって、植物Ｔが育たないことがあった。逆に、上からの水まきをやみくもに抑えると、種にまで水が届かないで発芽しないこともあるが、本願の栽培鉢１によれば、底１２の角辺部１２ａ，１２ｂからの給水で、適度に種子を水に浸けることができる。
【産業上の利用可能性】
【００１８】
本考案により、土や植物の種が植物の根が容易に外に出てしまわないと共に、給水と給気とが十分に可能な栽培鉢を提供することができる。
【符号の説明】
【００１９】
１・・・・・栽培鉢
１０・・・・鉢本体
１２・・・・底
１２ａ・・・角辺部
１２ｂ・・・角辺部
１４ａ・・・給水給気口
１４ｂ・・・給水給気口
２０・・・・不織布
【図１】
0003190375.tif 000003
【図２】
0003190375.tif 000004
【図３】
0003190375.tif 000005
【図４】
0003190375.tif 000006
【図５】
0003190375.tif 000007
(57)【要約】      （修正有）【課題】扇風機での自動の回転速度の切替え、停止、再起動制御装置を提供する。【解決手段】室温を検知するセンサーに依って、室温が設定温度を超えると、低速回転が起動し、更に温度が上昇したら、警報機能を利用して、リレーが作動して、扇風機は中速回転となる。室温が高い時は、中速回転となり、警報温度以下では低速回転となり、設定温度以下になると、停止し、再度設定温度を超えると、低速回転がとなり、更に室温が上昇すれば警報機能で中速回転となる。【選択図】図１
0003190337.tif 000002
【実用新案登録請求の範囲】
【請求項１】
スイッチと、スイッチに直列接続された温調器と、温調器と並列にスイッチに接続された温調器警報出力ａ接点及びリレーと、温調器、温調器警報出力ａ接点及びリレーと並列にスイッチに接続されたタイマーと、タイマーに直列接続されたリレー出力ａ接点と、リレー出力ａ接点と並列にタイマーに接続された温調器使用出力ａ接点及びリレー出力ｂ接点から構成され、リレー出力ａ接点が扇風機の中速回転回路に接続され、リレー出力ｂ接点が扇風機の低速回転回路に接続されることを特徴とする、
扇風機の自動での回転速度の切替え、停止、再起動制御装置。
【考案の詳細な説明】
【技術分野】
【０００１】本考案は、扇風機の自動での回転速度の切替え、停止、再起動制御装置に関する。
【背景技術】
【０００２】扇風機を制御する技術としてはタイマーを用いるものがある（特許文献１参照）。またタイマー、マイコン、温度センサーに依る冷え等の防止をするのもある（特許文献２参照）。
【先行技術文献】
【特許文献】
【０００３】
【特許文献１】特公昭４９−８３０５号  公報
【特許文献２】実開平１−１１５８９５号  公報
【考案の概要】
【考案が解決しようとする課題】
【０００４】夏は扇風機を使用して寝るが、以下の問題点がある。朝迄出来うるなら、何度も目を覚まさず、寝たい。扇風機の切替えが無い方が楽である。遅起きは朝陽で暑くなる、これも困る。自身高齢者で昼夜問わず、少しの温度変化にも対応が困難で、何らかの方法は無いか？エアコンのみでは、肌の冷え過ぎ（体内とのズレ）に対応しきれていない。冷えの部分がある、適正な温度がむつかしい。これらを解決するものを、以下の条件を満たして提供したい。取り扱いが簡単で或る事。出来うる限り安価である事。
【課題を解決するための手段】
【０００５】エアコンと扇風機の同時併用が良い。タイマー機能、温調機、リレー、温度センサーを備える。室温を検知するセンサーに依って、室温が設定温度を超えると、低速回転がＯＮ、更に温度が上昇したら、警報機能を利用して、リレーＯＮ、扇風機は中速回転、室温が高い時は、中速回転、警報温度以下では低速回転、設定温度以下になると、停止し、再度設定温度を超えると、低速回転がＯＮ、更に室温が上昇すれば警報機能で中速回転。使用者は電源ＯＮと温度設定（停止する温度）し、自分に適した温度設定が出来た後は、必要な時ＯＮ、扇風機は自動で回転を替え、停止、又再起動もする、必要としない時ＯＦＦ。基板にこの機能を組み込む。
【考案の効果】
【０００６】エアコンと市販の扇風機、温調器、リレー、センサーの組み合わせの、試作品。温度に依る、寝れないは、ほぼ解消された、扇風機の遅速回転を。もう少し遅くしたら、格段良くなるし、目的は達成する。この制御は、健常者は勿論の事、高齢者、体力の落ちている人に効果は大。個人差に対応出来る。
【図面の簡単な説明】
【０００７】
【図１】本考案の制御装置の構成を表す図面である。
【実施例１】
【０００８】  寝室に入ったら、エアコンＯＮで２８〜２９℃位で設定、室温３２〜３３℃位ある時は、扇風機はすぐにＯＮしない。熱風がくる、３０℃以下位迄、待つ、その後、扇風機ＯＮ、これで操作完了。いい眠りを。夜中外気が、エアコンの設定温度以下と思われたら、エアコンＯＦＦで窓を少し開けるも良し。タイマはなくてもよい！
【実施例２】
【０００９】  例えば、設定温度を２６℃、警報値２８℃、室温２８℃以上の場合、スイッチＯＮでまず警報出力  リレーＯＮ（ａ接）で中速回転、２８℃以下では警報出力は無くなるのでリレーＯＦＦ（ｂ接）で低速回転、２６℃以下になると、自動停止。
その後、室温が上昇し２７℃位になると、自動復帰する。
【符号の説明】
【００１０】  １    スイッチＳＷ
２    温調器
２ａ１  温調器警報出力ａ接点
２ａ２  温調器使用出力ａ接点
３    リレーＲ
３ａ  リレー出力ａ接点
３ｂ  リレー出力ｂ接点
４    タイマーＴ
５    扇風機Ｍ
【図１】
0003190337.tif 000003
(57)【要約】      （修正有）【課題】画面を操作するタイプの情報端末を操作する際に、多様な操作を容易に行なえるタッチペンを提供する。【解決手段】一対（二本）のタッチペン１，２を接合体（紐類や鎖類等）３でつなぎ合わせて一体化し、容易に離れないような構造にする。これにより、すぐに箸のように持って使用すること出来、操作の途中で持ち替えたりしなくても、連続かつ多様な操作を効率的に行なうことが可能になる。すべての操作において、指先を直接画面に触れることが不要となって、衛生面での優位性も増す。【選択図】図１
0003190331.tif 000002
【実用新案登録請求の範囲】
【請求項１】
一対（二本）のタッチペンを接合体（紐類や鎖類等）でつなぎ合わせて一体化し、箸のように持って多様な操作を可能にできることを特徴とするタッチペン
【考案の詳細な説明】
【技術分野】
【０００１】  本考案は、画面を操作するタイプの情報端末を操作する際に、多様な操作を容易に行えるよう、一対（二本）のタッチペンを接合体（紐類や鎖類等）でつなぎ合わせて一体化し、箸のように持って操作できることを特徴とするタッチペンに関するものである。
【背景技術】
【０００２】  画面上で操作するタイプの情報端末にあっては、指またはタッチペンによって操作するが、画像を拡大したり縮小したりするには、指の幅を開いたり狭めたりする操作が必要になり、普段はタッチペンを使用していても、その時には指操作に変更する必要があった。
【考案の概要】
【考案が解決しようとする課題】
【０００３】  画面を操作するために、タッチペンを使用するニーズは、操作スピードや確実性、
衛生面の考慮等が考えられるが、画像の拡大や縮小指示操作は指を開いたり狭めたりしなければならないこともあるため、ペンの持ち替えなどが必要になる。
上記課題に対し、持ち替える必要が無いタッチペンを考案する。
【課題を解決するための手段】
【０００４】  一対（二本）のタッチペンを紐状の物体でつなぎ合わせて一体化し、箸のように持って使用することで、操作の途中で持ち替えたりしなくても連続かつ多様な操作をスムーズに行えることができることを特徴とするタッチペンを考案する。
二本のタッチペンをつなぐのは容易に離れてしまうのを防止できる点であり、分離できる機能の有無は問わない。
【考案の効果】
【０００５】  二本を同時に使うため、容易に離れてしまわないようにすることで、すぐに箸のように持って使用が可能になる。
一本で操作する場面の他に、画像の拡大や縮小指示操作はペンを開いたり狭めたりすればよく、持ち替えることなく効率の良い操作が可能になり、利便性が増す。
更に、指先を直接画面に触れることが不要となって、衛生面での優位性も増す。
【図面の簡単な説明】
【０００６】
【図１】全体の概要図面である。
【考案を実施するための形態】
【０００７】  一対（二本）のタッチペンを接合体（紐類や鎖類等）でつなぎ合わせて一体化する。
本考案において、二本のタッチペンをつなぐのは容易に離れてしまうのを防止できる点であり、分離できる機能の有無は問わない。また、つなぐ場所を特定するものでもなく、紐状の接合体の材質を特定するものでもない。
【符号の説明】
【０００８】１  タッチペン１
２  タッチペン２
３  接合体（紐類や鎖類等）
【図１】
0003190331.tif 000003
(57)【要約】      （修正有）【課題】指の関節の太い人でも指輪の最適なサイズを選べるようにした指輪のサイズ測定具を提供する。【解決手段】指輪サイズの異なる各番型リングを複数個備えた指輪のサイズ計測具であって、サイズの異なる開閉リング１Ａ，１Ｂ，１Ｃ，１Ｄ，１Ｅ、リングのサイズを表したタグ２Ａ，２Ｂ、及び連結用の鎖４に連結する連結環３Ａ，３Ｂから構成される。前記開閉リングはほぼ中央から左右に開閉できる構造で、ピンによってカシメられている。【選択図】図１
0003190333.tif 000002
【実用新案登録請求の範囲】
【請求項１】
指輪サイズの異なる各番型リングを複数個備えた指輪のサイズ計測具であって、この指輪サイズの異なる各番型リングのそれぞれを開閉可能に構成したことを特徴とする指輪のサイズ測定具
【考案の詳細な説明】
【技術分野】
【０００１】  本考案は、装着を希望する指輪の最適なサイズを簡易かつ正確に計測可能な、指輪のサイズ計測具に関する。
【背景技術】
【０００２】  従来この種の指輪のサイズ計測具としては特許文献１の図６に示されるものが広く知られている。すなわち、指輪サイズの異なる各番型リングを複数個用意し、この複数のそれぞれサイズのことなるリングの内から適合すると思われるものを選択し、装着者の指に実際に挿入して計測している。【０００３】  しかしながら、指の関節が太い装着者の場合には指輪を止める位置の寸法を正確に計測できないという問題を有している。
すなわち、従来の完全な指輪状の計測具では、指に差し入れると指の関節の太い部分（第２関節部分）を通すため、関節の太い部分に合わせなければならない。このため実際に指輪を嵌める付け根部分では隙間ができてしまうという問題があった。
【先行技術文献】
【特許文献】
【０００４】
【特許文献１】特開２００１−１５９５０１号公報
【考案の概要】
【考案が解決しようとする課題】
【０００５】  そこで本考案は、関節が太い装着者であっても指輪の止める位置のサイズを正確に計測できる指輪のサイズ計測具を提供することを目的とする。
【課題を解決するための手段】
【０００６】  本考案は、指輪サイズの異なる各番型リングを複数個備えた指輪のサイズ計測具であって、この指輪サイズの異なる各番型リングのそれぞれを開閉可能に構成したことを特徴とするものである。
【考案の効果】
【０００７】  したがって、本考案による指輪のサイズ測定具は、指の関節の太い装着者であっても実際に指輪を装着する部分の指輪のサイズを正確に測定できるようになった。
【図面の簡単な説明】
【０００８】
【図１】本考案の指輪のサイズ測定具の概略構成図である。
【図２】（Ａ）はリングが閉じた状態の構成図であり、（Ｂ）はリングが開いた状態の構成図である。
【考案を実施するための形態】
【０００９】  以下、本考案の指輪のサイズ測定具について図面とともに説明する。
図１及び図２において、１Ａ、１Ｂ、１Ｃ、１Ｄ，１Ｅ・・・はそれぞれサイズの異なる開閉リングである。２Ａ、２Ｂ・・・はそれぞれのリングのサイズを表したタグであり、３Ａ、３Ｂ・・・は連結用の鎖４に連結するための連結環である。開閉リング１Ａ、１Ｂ、１Ｃ・・・は図示のように開閉できる構造となっている。開閉リング１Ａ、１Ｂ、１Ｃ・・・はほぼ中央部分から左右に開閉できる構造であり、図示してはいないがピンによってカシメられている。
【００１０】  このような指輪のサイズ測定具を用いて、複数の開閉リング（１Ａ、１Ｂ、１Ｃ・・・）の内から装着者の指に適合すると思われる開閉リング（１Ａ、１Ｂ、１Ｃ・・・）を選択し、適合するサイズのリングのタグ（２Ａ、２Ｂ、２Ｃ・・・）を確認して、装着者に一番適合するサイズのリングを見つけ出すことができる。
【符号の説明】
【００１１】  １Ａ、１Ｂ、１Ｃ・・・    それぞれサイズの異なる開閉リング
２Ａ、２Ｂ、２Ｃ・・・    リングのタグ
３Ａ、３Ｂ、    ・・・    連結環
４              ・・・    鎖
【図１】
0003190333.tif 000003
【図２】
0003190333.tif 000004
(57)【要約】      （修正有）【課題】数日の出張の際に役立つ出張用下着入を提供する。【解決手段】各々にファスナー２を取り付けた数個の布製のふくろ１を連結し、その数個の布のふくろ１の最端部に布の帯３を取り付け、帯３の端部に面ファスナー４を取り付ける。この出張用下着入に下着等を入れることにより、１週間程度の出張に役立つ。【選択図】図１
0003190183.tif 000002
【実用新案登録請求の範囲】
【請求項１】
数個のファスナーの付いた布製のふくろを連結し、そのふくろの最端部に布の帯を付け、その端部にマジックファスナーを付けた出張用下着入。
【考案の詳細な説明】
【技術分野】
【０００１】本考案は、数日の出張の際に用いる下着入に関するものである。
【背景技術】
【０００２】数日の出張時、下着を１日分ずつ入れるものはほとんど無かった。
【考案の開示】
【考案が解決しようとする課題】
【０００３】シャツ、パンツ、くつ下等を１日分ずつ入れる箇所を設けたことで前途の欠点を解決しようとするものである。
【課題を解決するための手段】
【０００４】本考案は、数日分の下着等を入れる箇所を各々設けたことで問題点を解決している。
【考案の効果】
【０００５】上途のように各々の所に数日分の下着を入れることで、出張の際に役立つ。
【考案を実施するための最良の形態】
【０００６】布製のふくろにファスナーを付け、それを数個継ぎ、継いだふくろの端部に布の帯を付け、その帯にマジックファスナーを付け、ふくろ全部を丸めてたばねる。
【実施例】
【０００７】以下、添付図面に従って実施例を説明する、１のふくろに下着等を入れ、２のファスナーをとじて、図３のように丸め、３の帯でしばり、４と５のマジックファスナーでとじる。【０００８】本考案の実施例は、上途の如き構成からなるものであり、１週間程度の出張に用いると便利である。
【図面の簡単な説明】
【０００９】
【図１】正面図
【図２】側面図
【図３】実施例図
【符号の説明】
【００１０】１．ふくろ
２．ファスナー
３．帯
４．マジックファスナー
５．マジックファスナー
【図１】
0003190183.tif 000003
【図２】
0003190183.tif 000004
【図３】
0003190183.tif 000005
【手続補正書】
【提出日】平成26年1月20日(2014.1.20)
【手続補正１】
【補正対象書類名】実用新案登録請求の範囲
【補正対象項目名】全文
【補正方法】変更
【補正の内容】
【実用新案登録請求の範囲】
【請求項１】
数個のファスナーを取付た布のふくろを連結し、そのふくろの最端部に布の帯を取付、その端部に面ファスナーを取付た出張用下着入。
【手続補正２】
【補正対象書類名】明細書
【補正対象項目名】全文
【補正方法】変更
【補正の内容】
【考案の詳細な説明】
【技術分野】
【０００１】本考案は、数日の出張に用いる下着入に関するものである。
【背景技術】数日の出張時、１日分づつ入れるものはほとんど無かった。
【考案の開示】
【考案が解決しようとする課題】
【０００３】シャツ、パンツ、くつ下等、一日分づつ入れる箇所を設けたことで、前途の欠点を解決しようとするものである。
【課題を解決するための手段】
【０００４】本考案は、数日分の下着等を入れる箇所を各々設けたことで問題点を解決している。
【考案の効果】
【０００５】上途のように、各々の場所に数日分の下着を入れることで、出張の際に役立つ。
【考案を実施するための最良の形態】
【０００６】布製のふくろ状のものにファスナーを付け、複数継いだ端部に布製の帯を付け、その帯に面ファスナーを付け、ふくろ全部をまるめてたばねる。
【実施例】
【０００７】以下、添付図面に従って実施例を説明する。１のふくろに下着等を入れ２のファスナーをとじて、図３のように丸め、３の帯でしばり、４と５の面ファスナーでとじる。【０００８】本考案の実施例は、上途の如き構成からなるものであり一週間程度の出張に用いると便利である。
【図面の簡単な説明】
【０００９】
【図１】正面図
【図２】側面図
【図３】実施例図
【符号の説明】
【００１０】１、ふくろ
２、ファスナー
３、帯
４、面ファスナー
５、面ファスナー
(57)【要約】      （修正有）【課題】電池交換の無い経済的で  明るく使い勝手のよい高輝度ＬＥＤ照明器を提供する。【解決手段】投光照明の明るさを切り替えられる手持ち形状に造られた照明器で、投光部５内側に照明用高輝度高出力ＬＥＤ（発光ダイオード）とレンズを組み合わせ配置し、手持ち位置７に電源明るさ切替えスイッチ６を配置し、ＬＥＤ点灯用供給電源には充電型リチゥム・イオン電池を使用し、投光照明中に電池電圧が一定電圧以下に消耗すると、電圧センサーが電池電圧を検出して警報用ＬＥＤを点灯し電池の充電時期を知らせる構造の、手持ち形状の高輝度ＬＥＤ照明器。【選択図】図１
0003190188.tif 000002
【実用新案登録請求の範囲】
【請求項１】
照明用に高輝度ＬＥＤ（発光ダイオード）を、電源に充電型リチウム・イオン電池を使用し、電子回路で明るさ・電池の過放電防止・電池電圧消耗を知らせる警報ＬＥＤ点灯回路などを装置した、手持ち形  高輝度ＬＥＤ照明器。
【考案の詳細な説明】
【技術分野】
【０００１】  本考案は、手持ち形状の高輝度ＬＥＤ照明器に関するものです。
【背景技術】
【０００２】  従来の照明器は  ＬＥＤ（発光ダイオード）を乾電池で点灯しているので  電池の寿命も短く絶えず電池交換が必要で  明るさも暗く使用が制限されます。
【考案の概要】
【考案が解決しようとする課題】
【０００３】  手持ち形状で  乾電池の交換を無くした  明るい照明器の開発
【課題が解決するための手段】
【０００４】  大型高輝度ＬＥＤを  充電型リチウム・イオン電池で点灯し、電子回路で明るさを切り替え使用できるようにした。
電池は故障しないように  充電器には過充電防止回路を  本体には過放電防止回路を  更に電池電圧低下を知らせる警報用ＬＥＤを装置した。
【考案の効果】
【０００５】  明るさが  従来の照明器の数十倍から数百倍と切り替え使用ができ  形状も手持ち型に造ることで使い勝手もよく  使用範囲も広く電池交換が無いので経済的である。
【図面の簡単な説明】
【０００６】
【図１】  実施外観斜視図
【符号の説明】
【０００７】  １  筐体
２  電池充電用コネクター
３  本体吊り下げ部
４  保護カバー
５  投光部
６  電源・明るさ切り替えスイッチ
７  手持ち部分
【図１】
0003190188.tif 000003
【手続補正書】
【提出日】平成26年1月10日(2014.1.10)
【手続補正１】
【補正対象書類名】実用新案登録請求の範囲
【補正対象項目名】全文
【補正方法】変更
【補正の内容】
【実用新案登録請求の範囲】
【請求項１】
投光照明の明るさを切り替えられる手持ち形状に造られた照明器で、投光部内側に照明用高輝度高出力ＬＥＤ（発光ダイオード）とレンズを組み合わせ配置し、手持ち位置に電源明るさ切替えスイッチを配置し、ＬＥＤ点灯用供給電源には充電型リチゥム・イオン電池を使用し、投光照明中に電池電圧が一定電圧以下に消耗すると、電圧センサーが電池電圧を検出して警報用ＬＥＤを点灯し電池の充電時期を知らせる構造の、手持ち形状の高輝度ＬＥＤ照明器。
(57)【要約】      （修正有）【議題】熱源があれば作動する熱磁気回転機を提供する。【解決手段】磁石２を支持体８に固定し、感温磁性材料１を装着した無限軌道であるベルト７あるいは感温磁性材料１で形成した無限軌道であるベルト７を磁場中に通し、ベルト７の両端を回転体４で保持して支持体８で垂直に支持する。また、ベルト７には文字や絵を表示し、反射体を装着する。【選択図】図２
0003190187.tif 000002
【実用新案登録請求の範囲】
【請求項１】
磁石を支持体に固定し、感温磁性材料を装着した無限軌道あるいは感温磁性材料で形成した無限軌道を磁場中を通し、無限軌道の両端を回転体で保持して支持体で垂直に支持した熱磁気回転機。
【請求項２】
熱磁気回転機は、無限軌道に文字や絵を表示したことを特徴とする請求項１記載の熱磁気回転機。
【請求項３】
熱磁気回転機は、無限軌道に反射体を装着したことを特徴とする請求項１記載の熱磁気回転機。
【考案の詳細な説明】
【技術分野】
【０００１】  本考案は、温水等の熱源で作動する熱磁気回転機とその使用例に関するものである。
【背景技術】
【０００２】  従来、感温磁性材料の磁気特性を応用した熱磁気エンジンが考案されている。【０００３】  実用新案登録第３１８５５３９号（熱磁気エンジン）
【考案の開示】
【考案が解決しようとする課題】
【０００４】  本考案は、熱源があれば作動し、回転移動する無限軌道の有効活用を課題としてなされたものである。
【課題を解決するための手段】
【０００５】  上記の課題を解決する本考案は、以下の通りである。
磁石を支持体に固定し、感温磁性材料を装着した無限軌道あるいは感温磁性材料で形成した無限軌道を磁場中を通し、無限軌道の両端を回転体で保持して支持体で垂直に支持した熱磁気回転機。そして無限軌道に文字や絵を表示あるいは反射体を装着して表示器の機能を付加した熱磁気回転機を考案できたものである。
【考案の効果】
【０００６】  本考案は、無限軌道に文字や絵等を表示して、温泉地や観光地の広告表示器として利用したり、反射体を装着して遊具としたり、玩具として利用することもできる。【０００７】  本考案の熱磁気回転機は、これ以外にも創意工夫によって今後多くの用途が考えられる。
【考案を実施するための最良の形態】
【０００８】  以下、本考案の実施の形態について図をもって説明する。
図１は、本考案実施例の一部断面正面図で、無限軌道に文字を表示し、温水に浸して広告表示器として利用した熱磁気回転機利用の実施例で、図２はその側面図である。【０００９】  本実施例は、無限軌道の両端を回転体４で保持したものであるが、実施においては回転体４の代わりに摩擦の少ない材料を用いて保持することもできる。
【図面の簡単な説明】
【００１０】
【図１】  本考案の熱磁気回転機の実施例の一部断面正面図である。
【図２】  本考案の熱磁気回転機の実施例の側面図である。
【符号の説明】
【００１１】  １…感温磁性材料
２…磁石
３…磁石固定板
４…回転体
５…回転軸
６…軸受
７…ベルト
８…支持体
９…断熱板
１０…容器
１１…液体
【図１】
0003190187.tif 000003
【図２】
0003190187.tif 000004
【手続補正書】
【提出日】平成25年12月24日(2013.12.24)
【手続補正１】
【補正対象書類名】図面
【補正対象項目名】図１
【補正方法】変更
【補正の内容】
【図１】
0003190187.tif 000005